(57)【要約】      （修正有）【課題】フィルターシートをロール状に巻き、フィルターホルダーに収納し、そのフィルターシートを巻き取ることによって新しいシート面を露出させ、通風能力を増大させるフィルター装置を提供する。【解決手段】フィルターシートは、フィルターホルダー２００に収納する。本装置の本体基盤１に、通風口１−１の穴を開け、その本体基盤１に、フィルターホルダー２００とフィルター巻取り部６及びフィルター巻取り部７を取り付け、フィルター巻取り部６には、電動モーター８と手動フィルター巻取り部９を取り付け、さらに、本体基盤１の裏側には、換気扇又はレンジフードに取り付けるための吸盤１１を有することを特徴とする。【選択図】図１
0003146346.tif 000002
【実用新案登録請求の範囲】
【請求項１】
本考案は、換気扇やレンジフードのフィルターシートをロール状にしたフィルターシ
ートを使用することを特徴とするロール式フィルター装置 。                                                                                           
【請求項２】
本考案のは、フィルターシートをロール状に巻き、フィルターホルダーに収納したことを特徴とする請求項1のロール式フィルター装置。
【請求項３】
本考案は、電動駆動と手動の双方を備えたことを特徴とする請求項1及び請求項2のロール式フィルター装置。
【請求項４】
本考案は、さまざまな換気扇又はレンジフードに、後付けで取り付けることを可能と
するすることを特徴とする請求項1〜請求項3のロール式フィルター装置。
【考案の詳細な説明】
【技術分野】
【０００１】
本考案は、フイルターシートをロール状に巻いたフイルターを、換気扇又はレンジフードなどに後付けで取付けて使用するための装置に関するものである。
【背景技術】
【０００２】
従来、換気扇やレンジフードのフィルターは、枠に貼り付けたフィルターが一般的であった。そのフィルターが徐塵や油煙ミストで汚れて交換するとき、その汚れたフィルターで手が油で汚れることが多かった。
【０００３】
また、換気扇やレンジフードのフィルターは、一般的には枠にフィルターを取り付けたものが多く、コスト面でもかなり高額であった。
【考案の開示】
【考案が解決しようとする課題】
【０００４】
本考案の装置は、従来の枠に取り付けたフィルターシートではなく、フィルターシー
トをロール状に巻き、フィルターホルダーに収納し、そのフィルターシートを巻き取る
ことによって新しいシート面を露出させ、従来のように一枚一枚、フィルターを交換す
ることなく、通風能力を増大させることを目的とする。
【０００５】
本考案は、さまざまな換気扇やレンジフードなどに、後付けで取り付け可能とするこ
とを目的とする。
【０００６】
また、本考案のフィルター巻取り装置は、電動駆動と手動の双方を備え、停電時にも
対応できることを目的とする。
【０００７】
また、本考案は、フィルターの交換時に、油で手が汚れることを防止する装置を提供
することを目的とする。
【課題を解決するための手段】
【０００８】
上記課題を解決するために、
まず、図10,図11で示すように、フィルターシートは200-2は、フィルターホルダ
ーに収納することを特徴とする。
【０００９】
次に、装置について説明する。詳しくは考案を実施するための最良の形態で説明する。
装置は、図1に示すように、本体基盤1に、通風口1-1の穴を開け、その本体基盤1に、フィルターホルダー200とフィルター巻取り部6及びフィルター巻取り部7を取り付け、フィルター巻取り部7には、電動モーター8と手動フィルター巻取り部9を取り付けることを特徴とする。
【００１０】
さらに、図4で示すように、本体基盤1の裏側には、換気扇又はレンジフードに取り付けるための吸盤11を有することを特徴とする。
【００１１】
さらに、図1,図2,図3で示すように、フィルターシート202の下部には油受け4を設けることを特徴とする。
【考案の効果】
【００１２】
フイルターシートの製造業者では、フイルターシート202は、従来のようにアルミ枠に貼り付けることなく、ロール状に巻いて提供するため、安価で提供できる。
【００１３】
また、使用者は、徐塵や油煙ミストで汚れたフィルターシート202の交換をその都度交換することなく、汚れた部分を巻き取り部に巻き取ることによって、不使用部の新しいフイルターシート202部が排気口に移動してくるので、排気能力が改善され、通風が良くなる。
【００１４】
さらに、1本のシートを使用してしまったときは、巻き取った汚れたシートを取り外し、新しいロールシート202をシートホルダー200に補充するだけでいいため、手が油で汚れることが、最小限で済む。
【考案を実施するための最良の形態】
【００１５】
次に、実施するための最良の形態について図によって説明するが、本実施するための最良の形態に限定されないことは言うまでもない。
まず、図1,図2,図3に示すように、本体基盤1に、通風口1-1の穴を開け、本体基板上下部フレーム10のいずれかを90°に折り曲げ、その一方は溶着し、さらにフィルター吸い込み防止板2, フィルター押さえ板3を本体基盤1に溶着する
【００１６】
次に、図4で示すように、本体基板上下部フレーム10の裏側には、換気扇及びレンジフードに取り付けるための吸盤11をそれぞれ取り付ける。
【００１７】
次に、図1で示すように、本体基板1の表側には、フィルターホルダー200とフィルター巻取り部6及びフィルター巻取り部7を取り付ける。
【００１８】
また、図7で示すように、フィルター巻取り部7には、電動駆動のためのフィルター巻取りモーター8と手動フィルター巻取り部9を取り付ける。
【００１９】
次に、図1,図2,図3に示すように、フィルターシート202に吸収された油ミストの液ダレを防止するために、油受け4を取り付ける。
【００２０】
さらに、図1、図3に示すように、シートホルダー200を固定するためのフィルターホルダー押さえスプリング5を取り付ける。
【実施例１】
【００２１】
本考案は、一般的な換気扇に取り付ける装置についてのみ記載しているが、この考案は、この換気扇にのみ使用するものに限定されないことは言うまでもない。
例えば、本体基板1の素材板にしても、鋼板、合成樹脂板、木板などさまざまな素材が使用できる。
【実施例２】
【００２２】
また、換気扇やレンジフードに取り付ける部材として、本考案では、吸盤を使用しているが、吸盤に限ったものではなく、磁石であったり、ビスであったり、粘着テープなどさまざまな部材も本考案に含むものとする。
【実施例３】
【００２３】
さらに、換気扇やレンジフードに取り付ける場合、その換気扇やレンジフードによって、その向きを変更したり、取り付け場所を変更することも本考案に含まれる。
【図面の簡単な説明】
【００２４】
【図１】本考案の正面図
【図２】本考案のＡ−Ａ’断面図
【図３】本考案のＢ−Ｂ’断面図
【図４】本考案の背面図
【図５】本考案の平面図
【図６】本考案の側面図
【図７】図１の円内詳細図
【図８】本考案を換気扇に取り付けた正面図
【図９】本考案を換気扇に取り付けた側面図
【図１０】本考案のフィルターホルダーの正面図
【図１１】本考案のフィルターホルダーのＣ−Ｃ’断面図
【図１２】本考案を換気扇に取り付けた斜視図
【符号の説明】
【００２５】
１．本体基板
２．フィルター吸い込み防止板
３．フィルター押さえ板
４．油受け
５．フィルターホルダー押さえスプリング
６．フィルター巻取り部(下部)
７．フィルター巻取り部(上部)
８．フィルター巻取りモーター
９．手動フィルター巻取り部
１０．本体基板上下部フレーム
１１．吸盤
１−１．排気口
２００．フィルターホルダー
２００−１．フィルターホルダー蓋
２００−２．フィルター
３００．既設の換気扇
【図１】
0003146346.tif 000003
【図２】
0003146346.tif 000004
【図３】
0003146346.tif 000005
【図４】
0003146346.tif 000006
【図５】
0003146346.tif 000007
【図６】
0003146346.tif 000008
【図７】
0003146346.tif 000009
【図８】
0003146346.tif 000010
【図９】
0003146346.tif 000011
【図１０】
0003146346.tif 000012
【図１１】
0003146346.tif 000013
【図１２】
0003146346.tif 000014
【手続補正書】
【提出日】平成20年9月8日(2008.9.8)
【手続補正１】
【補正対象書類名】実用新案登録請求の範囲
【補正対象項目名】全文
【補正方法】変更
【補正の内容】
【実用新案登録請求の範囲】
【請求項１】
本考案は、換気扇やレンジフードのフィルターシートをロール状にしたフィルターシ
ートを使用することを特徴とするロール式フィルター装置 。                                                                                           
【請求項２】
本考案は、フィルターシートをロール状に巻き、フィルターホルダーに収納したことを特徴とする請求項1のロール式フィルター装置。
【請求項３】
本考案は、電動及び手動でフィルターシートを巻き取ることを特徴とする請求項1又は請求項2のロール式フィルター装置。
【請求項４】
本考案は、さまざまな換気扇又はレンジフードに、後付けで取り付けることを可能と
するすることを特徴とする請求項1又は請求項3のロール式フィルター装置。